(57)【要約】      （修正有）【課題】見開いた書物を、仰臥位、横臥位、座位、立位などの読書姿勢に対応しながら保持し、かつページ押さえ・ページめくりが簡単にできる書見台と、そのための書見台用スタンドを提供する。【解決手段】書見台ＢＳ１と、書見台用スタンドＢＳ２と、左ページ保持部と右ページ保持部と、右ページ保持部と、背表紙保持部３００を主たる構成とする。さらに、左ページ保持部１００には回転可能左ページ保持具１１０が右ページ保持部２００には回転可能右ページ保持具２１０が設けられ、背表紙保持部３００にはのど保持具３１０が設けられ、角度可変手段４００を設け、第一スタンド部５００と、第二スタンド部６００を設え、かつ、第三スタンド部７００と、角度固定装置８００と、スタンド土台部９００を設けて、書見台及び書見台用スタンドを構成する。【選択図】図２
0003155727.tif 000002
【実用新案登録請求の範囲】
【請求項１】
見開いた書物を抱持するように形成されている書見台であり、前記書見台には、前記書物の表紙を当接させ左小口を保持する手段を備えた左ページ保持部、前記書物の裏表紙を当接させ右小口を保持する手段を備えた右ページ保持部、前記書物の背表紙を当接させのどを保持する手段を備えた背表紙保持部が設けられ、前記左ページ保持部には回転可能手段を備えた左ページ保持具が設けられ、前記右ページ保持部には回転可能手段を備えた右ページ保持具が設けられ、前記背表紙保持部にはのどを着脱可能に保持するのど保持具が設けられる、ことを特徴とする書見台。
【請求項２】
前記左ページ保持部が第一載置部と第二載置部とで形成され、前記右ページ保持部が第一載置部と第二載置部とで形成され、前記背表紙保持部は基板として板状の連結板で形成され、前記左第一載置部と前記右第一載置部とが前記連結板を介して連設され、前記連結板には前記のど保持具が設けられ、前記左第一載置部と前記右第一載置部との間には背表紙保持スペースが形成され、前記左第二載置部には前記回転可能左ページ保持具が設けられ、前記右第二載置部には前記回転可能右ページ保持具が設けられ、前記左第一載置部と前記左第二載置部とは摺動手段を介して設けられ、前記右第一載置部と前記右第二載置部とは摺動手段を介して設けられる、請求項１に記載の書見台。
【請求項３】
前記左第一載置部と前記連結板とは蝶着され、前記右第一載置部と前記連結板とは蝶着され、前記左第一載置部と前記連結板との間には一対の角度調節具が設けられ、前記右第一載置部と前記連結板との間には一対の角度調節具が設けられる、請求項１と請求項２に記載の書見台。
【請求項４】
前記書見台を仰臥位や横臥位や座位や立位などの読書姿勢に対応できるようにする書見台用スタンドであり、前記書見台の前記連結板の裏面部に角度可変手段が設けられ、前記角度可変手段には回動可能手段と折曲げ手段を備えた第一スタンド部と回動可能に接続され、前記第一スタンド部には折曲げ手段と第一移動手段を備えた第二スタンド部と折曲げ可能に接続され、前記第二スタンド部には第一移動手段と第二移動手段とバランス調節手段を備えた第三スタンド部と移動可能に接続され、前記第三スタンド部には第二移動手段と角度固定手段を備えた角度固定装置が移動可能に接続され、前記角度固定装置には回動可能手段を備えたスタンド土台部と回動可能に接続されることを特徴とする、請求項１から請求項３のいずれかに記載の書見台用スタンド。
【請求項５】
前記スタンド土台部が、回動可能接続部と、回動可能接続部固定部と、土台部とで形成され、前記土台部には接地面積可変手段を設けたことを特徴とする、請求項４に記載の書見台用スタンド。
【考案の詳細な説明】
【技術分野】
【０００１】  本考案は、仰臥位や横臥位であっても見開いた書物のページ押さえ・ページめくりが簡単にできる書見台と、仰臥位、横臥位、座位、立位など多様な姿勢での読書を可能とする書見台用スタンドに関する。
【背景技術】
【０００２】  従来から、人が読書をする場合に、書見台と称されている書物保持手段が用いられるようになってきており、例えば、書見台への書物の保持方法として、例えば、書見台の四隅に回転自在の片を設け書物を押さえるものや書見台の中央部の天地に凹状部を形成し、その凹状部の溝に書物の背表紙綴じ込み部を配し、書物ページの中ほどを挟持片で押さえ、地側を固定し、天側をスライドさせて書物を保持し、左右にクリップを設けて書物のページ余白部を押さえる方法や、同じく見開き書物の中ほどをゴム紐やバネで押さえるものなど色々あることが知られている。
例えば、特許文献１における仰臥者用書見台では、書見台の下部に設けた棚の中央に書物をのせ見開きページの中ほどに金属線（棒）糸紐類を強く張り書見台に書物の背表紙側を押し当て、強く引いたまま金属線（棒）糸紐類は書見台に設けた巻棒に巻きつけてマジックテープで止め、さらに横に保持線を張り開いたページを安定させて書物が読めるようにしてページを操る水平保持線を操作する方法をとっている。（詳細は［特許文献１］を参照する）
また、例えば、特許文献２における仰臥式書見台では、ページ押さえ・ページめくりの方法については、書見台基板中央部に見開き書物の綴じ込み部を配置し、上下の係合片を用いて基板に見開き書物の背部を取り付け保持するとともに左右のページ端部を挟持片に組み込まれたローラーで弾力的に基板に押し当て見開き書物を保持している。さらに基板下辺左右にクリップを設け書物の表紙部を基板に挟持する構造となっている。（詳細は［特許文献２］を参照する）【０００３】  また、従来から、人が読書をする場合の書見台と称されている書物保持手段の開発がなされるようになってきており、例えば、人が読書をする場合の読書姿勢が、仰臥位や横臥位や座位に対応できるようにした書見台の開発が成されるようになってきた。
例えば、特許文献３では、仰臥、座位、椅子に腰掛けるといった読書姿勢に対応したもので、スタンド土台に立てた金属パイプに切り替え調節穴を設け留め金ネジを装置して前記金属パイプの先端に金属蛇腹管を接続し、その先に書見台を取り付ける構造となっており、蛇腹管を設けることで取り付けた書見台の向きを自由に換え金属パイプで書見台の高さを調節し前記の読書姿勢に対応可能としたことを特徴とする書見台及び寝ながら読書する時の書物保持具が知られている。（詳細は［特許文献３］を参照する）
また例えば、特許文献４では、仰臥で使用する場合、手で抑えなくても転倒せず、また中断する度にわざわざ除ける手間が掛からず、更に椅子に座つて使用する場合、適切な高さ位置に載置板を配置できるような書見台の提供を課題とし、解決手段として、基板に二本の支柱を回動自在、且つ着脱自在に立設し、前記支柱に高さ調整板を上下に移動自在に取り付け、その高さ調整板に連結金具を回動自在、且つ着脱自在に取り付け、その連結金具に載置板を斜め水平方向に回動自在、且つ着脱自在に取り付けることを特徴とする書見台が知られている。（詳細は［特許文献４］を参照する）【０００４】  また、従来からの、人が読書をする場合の読書姿勢が、仰臥位でも横臥位でも座位にでも対応できるようにした書見台に加えて、近年では、立位用にも使用できるようにした書見台の開発例が報告されている。
例えば、特許文献５では、従来の仰臥用と座位用に兼用できる書見台を仰臥用として、また立位用として使用する場合、重心が書見台の中心にないため不安定で転倒しやすく、また、ページホルダーで本を支えているため、本が書見台から外れやすく、仰臥用と座位用の使用の切り替えに手間がかかり面倒であり、ページ押えの部品が紛失する恐れがあり、仰臥用のものを座位用に使用する場合も手間がかかり面倒であつたが、その解決手段として、ページ押えを具備した載置板と脚台と傾斜支え杆で構成し、載置板の向きを、斜め上方から斜め下方に調節且つ設定可能にした書見台が知られている。（詳細は［特許文献５］を参照する）【０００５】
【特許文献１】実開平６−０３８６７４号公報
【特許文献２】実開平６−８１３３１号公報
【特許文献３】特開２００２−１２５７６８号公報
【特許文献４】特開２００７−２９６９３号公報
【特許文献５】特開２００６−２５５３４４号公報
【考案の開示】
【考案が解決しようとする課題】
【０００６】  ところが、上述した、特許文献１における仰臥者用書見台、特許文献２における仰臥式書見台、特許文献３の書見台及び寝ながら読書する時の書物保持具、特許文献４の書見台、特許文献５の書見台、などでは以下に示す問題点を指摘されている。【０００７】  例えば、特許文献１における仰臥者用書見台では、書見台を下向きにして使用する場合に、金属線（棒）糸紐類で見開き書物の綴じ込み部を強く書見台に押し当てても書物の重みで自然に緩んだり、垂れ下がる、という問題点や、また取り付け書物が厚い場合には、金属線（棒）糸紐類のセンター軸が横にずれたりして書見台への保持が不安定になったりする、という問題点や、また、金属線（棒）糸紐類を強く張った状態を保ったまま書見台の巻棒に巻きつけることも大変であるが、巻きつけた金属線（棒）糸紐類をマジックテープ止めも、使用しているうちに緩んだり、解けたりする恐れがあり書物が書見台から落下する心配もあるし操作も面倒である、という問題点などである。
また、例えば特許文献２における仰臥式書見台の、ページ押さえ・ページめくりの方法では、左右のページ端部を挟持片に組み込まれたローラーを回してページを繰り出し、めくったページを反対側のローラーと見開きページの間に手で差し込む方法であるが見開きページの閉じようとする反発力や、書物を読み進む過程でページ枚数の増減により左右のローラーと書物ページ端にかかる圧力が変化してきてページを挿入するのは困難になってくる、という問題点や、ローラーの回転で繰り出されるページが複数枚排出されたり、空回りになったりのトラブルが生ずる恐れもある、という問題点や、例えば、絵本などはページ押さえは可能であるがページめくりは厚紙のためローラーでの紙送りができないために困難である、という問題点などである。
また、例えば特許文献３の書見台及び寝ながら読書する時の書物保持具は、仰臥、座位、腰掛けるなどに対応したものであり、スタンドの高さ調節や書見台の位置決めが容易であり目線に対する微調整も簡単であるが、ページ押さえ・ページめくりの際に書見台に一定の力が加わることから書見台が揺れたり、目線上の位置から動いたりする恐れがあり、片方の手で書見台を押さえ、もう一方の手でページ押さえ・ページめくりの操作をすることとなる、という問題点や、また、少しの接触で書見台自体および取り付け書物の重みで蛇腹管が伸縮して揺れが生じ書見台が不安定になって操作しにくい、という問題点などである。【０００８】  また、例えば特許文献４の書見台では、基板に連結金具を回動自在、且つ着脱自在に取り付け、載置板に連結金具を斜め水平方向に回動自在、且つ着脱自在に取り付け、前記両連結金具を、二本の支柱連結板をマジツクテープバンドで一体に摺動自在に捲着し一本に形成した支柱で連結したことを特徴とするが、このマジツクテープバンドも、使用しているうちに緩んだり、解けたりする恐れがあり書物が書見台から落下する心配もあるし操作も面倒である、という問題点を指摘されている。
また、例えば特許文献５の書見台では、ページ押えを具備した載置板と脚台と傾斜支え杆で構成し、載置板の向きを、斜め上方から斜め下方に調節且つ設定可能にした書見台であることを特徴とするが、この書見台では、仰臥で使用する場合、身体の上部に置くため、転倒しないよう手で抑えていなければならない、という問題点や、また二本の支柱の間に身体を置いて使用するものは、使用を中断する度に除ける手間がかかり、窮屈で使いづらい、という問題点などを指摘されている。【０００９】  本考案は、上述した問題点を解決するために成されたものであり、見開いた書物を、仰臥位、横臥位、座位、立位などの読書姿勢に対応しながら保持し、かつページ押さえ・ページめくりが簡単にできる書見台と、この書見台を仰臥位、横臥位、座位、立位など多様な姿勢での読書を可能とする書見台用スタンドの提供を目的とする。
【課題を解決するための手段】
【００１０】  課題を解決するための第一の手段（請求項１）は、見開いた書物を抱持するように形成されている書見台であり、前記書見台には、前記書物の表紙を当接させ左小口を保持する手段を備えた左ページ保持部、前記書物の裏表紙を当接させ右小口を保持する手段を備えた右ページ保持部、前記書物の背表紙を当接させのどを保持する手段を備えた背表紙保持部が設けられ、前記左ページ保持部には回転可能手段を備えた左ページ保持具が設けられ、前記右ページ保持部には回転可能手段を備えた右ページ保持具が設けられ、前記背表紙保持部にはのどを着脱可能に保持するのど保持具が設けられる、ことを特徴とする書見台を提供することである。【００１１】  課題を解決するための第一の手段で記述した書物に関しては、書籍や雑誌や辞書や辞典や事典や書類や図面や写真や譜面や絵画や書などを含むものとする。前記書物を構成している各部分には、それぞれ名称があり、製本方法によっては若干の違いもあるが、例えば、本考案では、一般的な上製本の場合には、表紙、背表紙、裏表紙、天、地、左小口、右小口、のど、見返し（きき紙）、見返し（遊び）、本扉  花布、耳、溝、チリ、しおり、ブックジャケット（カバー）、帯、という構成になっているものとする。また、前記書物のサイズに関しては、標準的な分類が可能であり、例えば、Ａ４判（２１０ｍｍ×２９０ｍｍ）では楽譜や電話帳の場合が多く、Ｂ５判（１８２ｍｍ×２５７ｍｍ）では週刊誌の場合が多く、Ａ５判（１４８ｍｍ×２１０ｍｍ）では総合雑誌や学術書の場合が多く、Ｂ６判（１２８ｍｍ×１８２ｍｍ）では単行本の場合が多く、新書判（１０３ｍｍ×１８２ｍｍ）では新書の場合が多く、Ａ６判（１０５ｍｍ×１４８ｍｍ）では文庫本の場合が多い、ことが知られている。【００１２】  課題を解決するための第一の手段で記述した前記左ページ保持部には回転可能手段を備えた左ページ保持具に関しては、前記左ページ保持部の一部に回転可能左ページ保持具が設けられるようになっていればよく、前記回転可能左ページ保持具が、前記左小口の天地を本考案の利用者が所望する間押さえている少なくとも一つの棒状体と、前記棒状体を天地で一対になって固着する棒状体固着部と、前記棒状体固着部を回転可能にする軸部と、前記軸部を回動可能に保持する軸受け具と、前記軸部の回転を一方向に制御する手段、で形成されている。
課題を解決するための第一の手段で記述した前記右ページ保持部には回転可能手段を備えた右ページ保持具に関しては、前記右ページ保持部の一部に回転可能右ページ保持具が設けられるようになっていればよく、前記回転可能右ページ保持具が、前記右小口の天地を本考案の利用者が所望する間押さえている少なくとも一つの棒状体と、前記棒状体を天地で一対になって固着する棒状体固着部と、前記棒状体固着部を回転可能にする軸部と、前記軸部を回動可能に保持する軸受け具と、前記軸部の回転を一方向に制御する手段、で形成されている。
課題を解決するための第一の手段で記述した前記背表紙保持部にはのどを着脱可能に保持するのど保持具に関しては、のどの天地を本考案の利用者が所望する間押さえている少なくとも一つの棒状体と、前記棒状体をのどの天側で着脱可能に保持する天側棒状体保持具と、前記棒状体をのどの地側で着脱可能に保持する地側棒状体保持具、で形成されている。【００１３】  前記棒状体に関しては、例えば材質に関しては、金属製細棒、木質系細棒、合成樹脂製細棒、などから選択して単独で用いても組合わせて用いてもよく、また例えば寸法に関しては、本体の寸法、対応させる書物の種類、対応する書物の重量の範囲、に合わせて適宜決めればよい。
また、前記金属製細棒に関しては、前記書物を抱持するに十分な強度を有しているのであれば金属製であれば何を用いても良く、特に金属の種類は問わない。前記木質系細棒に関しては、前記書物を抱持するに十分な強度を有しているのであれば木質系（竹材も含む）であれば何を用いても良く、特に木質の種類は問わない。前記合成樹脂製細棒に関しては、前記書物を抱持するに十分な強度を有しているのであれば合成樹脂製であれば何を用いても良く、特に合成樹脂製の種類は問わない。
また、前記棒状体の形状に関しては、細棒体、細角柱体、細円柱体、細Ｌ字型体、細Ｈ字型体、細パイプ体、などの中から選択して用いればよい。
また、前記軸部回転制御手段に関しては、前記軸部の回転を一方向に制御することが可能であればどんな手段を用いてもよく、一般的に知られた手段や入手しやすい材料で形成させればよい。また、前記軸受け具に関しては、前記軸部を回動可能に保持するようになっていれば、一般的に知られた手段の中から選択して用いればよい。【００１４】  課題を解決するための第二の手段（請求項２）は、前記左ページ保持部が第一載置部と第二載置部とで形成され、前記右ページ保持部が第一載置部と第二載置部とで形成され、前記背表紙保持部は基板として板状の連結板で形成され、前記左第一載置部と前記右第一載置部とが前記連結板を介して連設され、前記連結板には前記のど保持具が設けられ、前記左第一載置部と前記右第一載置部との間には背表紙保持スペースが形成され、前記左第二載置部には前記回転可能左ページ保持具が設けられ、前記右第二載置部には前記回転可能右ページ保持具が設けられ、前記左第一載置部と前記左第二載置部とは摺動手段を介して設けられ、前記右第一載置部と前記右第二載置部とは摺動手段を介して設けられる、課題を解決するための第一の手段に記載の書見台を提供することである。【００１５】  課題を解決するための第二の手段で記述した前記左ページ保持部が第一載置部と第二載置部とで形成されていることに関しては、前記左第一載置部と前記左第二載置部との関係は前記書物を載置したときに前記書物の寸法に合わせて前記左ページ保持部の寸法が変化できるようになっている関係であればどんな手段でも構わないが、前記左第一載置部と前記左第二載置部とは摺動手段を介して設けられることが好ましい。また、前記摺動手段に関しては一般的に知られた手段であれば何を用いても構わない。
また、前記左第一載置部と前記左第二載置部の形状は、前記左第一載置部と前記左第二載置部とが摺動手段を介して前記左ページ保持部の形状や寸法が変化するようになっていればどんな形状でも構わないが、前記書物の相似形であることが好ましい。また、前記左第一載置部と前記左第二載置部の材質は、軽量で十分な強度があれば金属製、木質系、合成樹脂製、などから選択して単独で用いても組合わせて用いてもよい。
また、前記左第一載置部と前記左第二載置部とが摺動手段を介して設けられることに関しては、前記左第一載置部ののど側には前記連結板が設けられ、前記左第一載置部の小口側と前記左第二載置部ののど側が摺動手段を介して設けられることで、前記左第一載置部と前記左第二載置部はのど側と小口側との間を変化させることで、前記左ページ保持部の寸法や形状を変化させることができる。【００１６】  課題を解決するための第二の手段で記述した前記右ページ保持部が第一載置部と第二載置部とで形成されていることに関しては、前記右第一載置部と前記右第二載置部との関係は前記書物を載置したときに前記書物の寸法に合わせて前記右ページ保持部の寸法が変化できるようになっている関係であればどんな手段でも構わないが、前記右第一載置部と前記右第二載置部とは摺動手段を介して設けられることが好ましい。また、前記摺動手段に関しては一般的に知られた手段であれば何を用いても構わない。
また、前記右第一載置部と前記右第二載置部の形状は、前記右第一載置部と前記右第二載置部とが摺動手段を介して前記右ページ保持部の形状や寸法が変化するようになっていればどんな形状でも構わないが、前記書物の相似形であることが好ましい。また、前記右第一載置部と前記右第二載置部の材質は、軽量で十分な強度があれば金属製、木質系、合成樹脂製、などから選択して単独で用いても組合わせて用いてもよい。
また、前記右第一載置部と前記右第二載置部とが摺動手段を介して設けられることに関しては、前記右第一載置部ののど側には前記連結板が設けられ、前記右第一載置部の小口側と前記右第二載置部ののど側が摺動手段を介して設けられることで、前記右第一載置部と前記右第二載置部はのど側と小口側との間を変化させることで、前記右ページ保持部の寸法や形状を変化させることができる。【００１７】  課題を解決するための第二の手段で記述した前記左第一載置部と前記右第一載置部とが連結板を介して連設されることに関しては、前記背表紙保持部は基板として板状の連結板で形成されており、その連結板によって前記左第一載置部ののど側と前記右第一載置部ののど側が連設されるようになっていればよく、寸法や形状はそれに合わせて設計すればよく、また前記左第一載置部ののど側と前記右第一載置部ののど側との間に所定の間隔が設けられるようにすることで、前記連結板にはのど保持具が設けられるように前記連結板の天側には前記天側棒状体保持具が設けられ前記連結板の地側には前記地側棒状体保持具が設けられるようにし、前記左第一載置部と前記右第一載置部との間には前記背表紙保持スペースが形成されるようになっていればよい。
前記連結板の材質に関しては、軽量で十分な強度があれば金属製、木質系、合成樹脂製、などから選択して単独で用いても組合わせて用いてもよい。【００１８】  課題を解決するための第二の手段で記述した前記左第二載置部には前記回転可能左ページ保持具が設けられることに関しては、前記回転可能左ページ保持具が、前記左小口の天地を本考案の利用者が所望する間押さえている少なくとも一つの棒状体と、前記棒状体を天地で一対になって固着する棒状体固着部と、前記棒状体固着部を回転可能にする軸部と、前記軸部の回転を一方向に制御する手段、で形成されているのであれば構造や形状には特に制限は設けない。また、前記左第二載置部には前記軸部を回動可能に保持する軸受け具が設けられるが、前記左第二載置部の天側には天側軸受け具が、前記左第二載置部の地側には地側軸受け具が設けられることで、前記回転可能左ページ保持具が回転可能になる。また、前記回転可能左ページ保持具の回転を制御する手段として、前記軸部の天側軸部または地側軸部に前記回転制御手段が設けられることで、前記回転可能左ページ保持具の回転を一方向にのみ回転できるようにするのが好ましい。【００１９】  課題を解決するための第二の手段で記述した前記右第二載置部には前記回転可能右ページ保持具が設けられることに関しては、前記回転可能右ページ保持具が、前記右小口の天地を本考案の利用者が所望する間押さえている少なくとも一つの棒状体と、前記棒状体を天地で一対になって固着する棒状体固着部と、前記棒状体固着部を回転可能にする軸部と、前記軸部の回転を一方向に制御する手段、で形成されているのであれば構造や形状には特に制限は設けない。また、前記右第二載置部には前記軸部を回動可能に保持する軸受け具が設けられるが、前記右第二載置部の天側には天側軸受け具が、前記右第二載置部の地側には地側軸受け具が設けられることで、前記回転可能右ページ保持具が回転可能になる。また、前記回転可能右ページ保持具の回転を制御する手段として、前記軸部の天側軸部または地側軸部に前記回転制御手段が設けられることで、前記回転可能右ページ保持具の回転を一方向にのみ回転できるようにするのが好ましい。【００２０】  課題を解決するための第三の手段（請求項３）は、前記左第一載置部と前記連結板とは蝶着され、前記右第一載置部と前記連結板とは蝶着され、前記左第一載置部と前記連結板との間には一対の角度調節具が設けられ、前記右第一載置部と前記連結板との間には一対の角度調節具が設けられる、課題を解決するための第一の手段と課題を解決するための第二の手段に記載の書見台を提供することである。【００２１】  課題を解決するための第三の手段で記述した前記左第一載置部と前記連結板とが蝶着されることに関しては、前記左第一載置部ののど側と前記連結板の所定位置に少なくとも一つの蝶番を介して蝶着されるようになっている。
課題を解決するための第三の手段で記述した前記右第一載置部と前記連結板とが蝶着されることに関しては、前記右第一載置部ののど側と前記連結板の所定位置に少なくとも一つの蝶番を介して蝶着されるようになっている。
上述した構造は、前記左ページ保持部と前記右ページ保持部とが前記連結板を支点にして前記書物を見開いた状態での見開きの角度に合わせて回動することができるようになっていることが好ましい。
また、前記左第一載置部ののど側と前記連結板の所定位置とが蝶着され、前記右第一載置部ののど側と前記連結板の所定位置とが蝶着される場合には、前記連結板の所定位置は、前記連結板の天側には前記天側棒状体保持具が設けられ前記連結板の地側には前記地側棒状体保持具が設けられるようにし、前記左第一載置部と前記右第一載置部との間には前記背表紙保持部が形成されるように設計するのが好ましい。【００２２】  また、前記背表紙保持スペースは上述した構成により凹状または溝状になっていることを特徴とするが、凹状または溝状の深さを調節したい場合は、前記蝶番にはパッキンを設けることでパッキンの厚さと数量で凹状または溝状の深さを調節することが可能になる。また、前記凹状または溝状の底部にはスポンジ等の弾性体を設けることで、そこに前記書物の背表紙を当接させるようにすることで前記書物を安定させることが可能になる。すなわち、前記左ページ保持部と前記書物の表紙との圧着性、前記書物の左小口と前記回転可能左ページ保持具との圧着性、前記弾性体と前記書物の背表紙との圧着性、前記書物ののどと前記のど保持具との圧着性、前記右ページ保持部と前記書物の裏表紙との圧着性、前記書物の右小口と前記回転可能右ページ保持具との圧着性、などを向上させることができる。【００２３】  課題を解決するための第三の手段で記述した前記左第一載置部と前記連結板との間には一対の角度調節具が設けられることに関しては、前記左第一載置部と前記連結板とは蝶着されているので、前記左ページ保持部が前記連結板を支点にして前記書物を見開いた状態での見開きの角度に合わせて回動可能になっているので、所定の角度で保持できるようになっていればどんなタイプの角度調節具でも使用可能である。また、前記左第一載置部の天部と前記連結板の天部を前記角度調節具で接続するか、前記左第一載置部の地部と前記連結板の地部を前記角度調節具で接続するか、またはその両方かは任意である。
課題を解決するための第三の手段で記述した前記右第一載置部と前記連結板との間には一対の角度調節具が設けられることに関しては、前記右第一載置部と前記連結板とは蝶着されているので、前記右ページ保持部が前記連結板を支点にして前記書物を見開いた状態での見開きの角度に合わせて回動可能になっているので、所定の角度で保持できるようになっていればどんなタイプの角度調節具でも使用可能である。また、前記右第一載置部の天部と前記連結板の天部を前記角度調節具で接続するか、前記右第一載置部の地部と前記連結板の地部を前記角度調節具で接続するか、またはその両方かは任意である。【００２４】  課題を解決するための第四の手段（請求項４）は、前記書見台を仰臥位や横臥位や座位や立位などの読書姿勢に対応できるようにする書見台用スタンドであり、前記書見台の前記連結板の裏面部に角度可変手段が設けられ、前記角度可変手段には回動可能手段と折曲げ手段を備えた第一スタンド部と回動可能に接続され、前記第一スタンド部には折曲げ手段と第一移動手段を備えた第二スタンド部と折曲げ可能に接続され、前記第二スタンド部には第一移動手段と第二移動手段とバランス調節手段を備えた第三スタンド部と移動可能に接続され、前記第三スタンド部には第二移動手段と角度固定手段を備えた角度固定装置が移動可能に接続され、前記角度固定装置には回動可能手段を備えたスタンド土台部と回動可能に接続されることを特徴とする、課題を解決するための第一の手段から課題を解決するための第三の手段のいずれかに記載の書見台用スタンドを提供することである。【００２５】  課題を解決するための第四の手段で記述した前記書見台の前記連結板の裏面部に角度可変手段が設けられることに関しては、前記書見台の前記連結板の表面部には前記書物の背表紙が当接されるようになっていて、前記連結板の裏面部に角度可変手段が設けられることで前記第一スタンド部の回動可能手段を支点にして前記書見台が１度から２００度までの範囲で角度が変えられるようになっていれば特にその構造には制限はなく一般的に知られた手段を用いればよい。
課題を解決するための第四の手段で記述した前記折曲げ手段に関しては、前記第一スタンド部が一方向に所定角度まで折り曲げられた後にその角度で保持できるように形成されていればその構造は特に問わない。
課題を解決するための第四の手段で記述した回動可能手段と折曲げ手段を備えた第一スタンド部に関しては、前記回動可能手段と前記折曲げ手段が棒状体またはパイプ体を介して設けてあればその構造は特に問わない。
また、前記第一スタンド部の回動可能手段が固定部と回動部と回動係止部より成れば特にその形状は問わないものとする。【００２６】  課題を解決するための第四の手段で記述した折曲げ手段と第一移動手段を備えた第二スタンド部に関して、第一移動手段は前記第二スタンド部と前記第三スタンド部が移動可能に接続されていることで前記第二スタンド部と前記第三スタンド部の寸法が伸縮可能になっていればよくその構造は特に問わない。また、前記第二スタンド部は、前記折曲げ手段と前記第一移動手段が棒状体またはパイプ体を介して設けてあればその構造は特に問わない。
課題を解決するための第四の手段で記述した第二移動手段に関しては、前記第三スタンド部と前記角度固定装置が移動可能に接続され、前記第三スタンド部と前記角度固定装置が伸縮可能になっていればよくその構造は特に問わない。
また、前記第三スタンド部が、前記第一移動手段と前記第二移動手段とが棒状体またはパイプ体を介して、前記第二移動手段とバランス調節手段とが棒状体またはパイプ体を介して、設けてあればその構造は特に問わない。
また、前記バランス調節手段に関しては、本考案の書見台用スタンドの重心を調整させたり安定性を向上させるための錘を回動可能に接続することを特徴とするが、前記錘の重量や形状は前記書見台用スタンドの設計時に考慮すればよい。
課題を解決するための第四の手段で記述した角度固定装置に関しては、前記スタンド土台部を支点にして左に９０度から右に９０度の範囲で前記第三スタンド部の角度を調節できるようにように形成されていればよく、一般的に知られた手段を用いればよい。
また、前記角度固定装置がスタンド土台部と回動可能に接続される手段に関しては、どんな手段でも構わない。
また、前記角度固定装置に関しては、少なくとも一つの固定部と回動部より成り、前記固定部と前記回動部は回動可能になるように形成され、前記角度可変装置回動部の所定位置には前記第二移動手段が設けられるように形成した接続部と前記角度可変装置回動部を所定の位置に係止する前記固定部係止部が設けられ、前記角度可変装置回動部は前記第三スタンド部の前記第二移動手段を設けた接続部と前記固定部係止部と一対になる回動部係止部より成るようにしてもよい。【００２７】  課題を解決するための第四の手段で記述した回動可能手段を備えたスタンド土台部に関しては、前記スタンド土台部と前記角度固定装置が回動可能に接続されるように形成されるのであればどんな構造でも構わない。前記スタンド土台部に回動可能接続手段が設けられたことで、前記角度固定装置を介して前記第三スタンド部を所定の位置に保持することが可能になる。また、前記スタンド土台部に前記回動可能接続手段を固着させることで、前記第三スタンド部を安定して回動させることが可能になる。【００２８】  課題を解決するための第五の手段（請求項５）は、前記スタンド土台部が、回動可能接続部と、回動可能接続部固定部と、土台部とで形成され、前記土台部には接地面積可変手段を設けたことを特徴とする、課題を解決するための第四の手段に記載の書見台用スタンドを提供することである。【００２９】  課題を解決するための第五の手段で記述した回動可能接続部と回動可能接続部固定部によって、前記スタンド土台部と前記角度固定装置が回動可能に接続されるようになればよく、そのための形状や構造は何でも構わない。前記スタンド土台部に回動可能接続部と回動可能接続部固定部が設けられたことで、前記角度固定装置を介して前記第三スタンド部を所定の位置に保持することが可能になる。
課題を解決するための第五の手段で記述した接地面積可変手段に関しては、前記土台部の接地面積を拡大させる土台拡張手段と拡大させた土台を縮小させる土台縮小手段を備えてもよい。前記書見台用スタンドを使用しながら安定性やバランスが悪いと感じたら前記土台拡張手段を用いて前記土台部の接地面積を拡大させ、安定性やバランスが改善したら前記土台部の接地面積を縮小させるようになっていればどんな手段でも構わない。
【考案の効果】
【００３０】  本考案の書見台が提供できることで、本考案の利用者が見開いた書物を仰臥位や横臥位で読もうとする場合に、従来では厄介とされるページ押さえ・ページめくりを容易にできるようになる。例えば、仰臥位や横臥位でも、前記回転可能左ページ保持具で見開き書物の左ページ端を確実に押さえ、前記回転可能右ページ保持具で見開き書物の右ページ端を確実に押さえ、前記のど保持具で見開き書物のページ中央部を確実に押さえることができ、かつ前記左ページをめくる場合は前記左ページ端を前記回転可能左ページ保持具から指で抜きとって対向する前記回転可能右ページ保持具にあてがい回転させることで前記回転可能右ページ保持具に取り込む方法であることによって、安全にかつ容易にページめくりを行うことが出来る。【００３１】  また、本考案の書見台が提供できることで、前記背表紙保持スペースに弾性体として、例えばスポンジを着脱可能に装着することが可能なので、前記背表紙保持スペースに形成させた凹状部にスポンジを装着し、見開いた書物のノドの天地を前記のど保持具で挟着することで、本考案の書見台に対して前記書物をより確実に抱持できるようになるので、仰臥や横臥の姿勢で読書する際での書物の落下の可能性を減少させることができる。【００３２】  また、本考案の書見台が提供できることで、前記左第一載置部と前記左第二載置部とは摺動手段を介して設けられ、前記右第一載置部と前記右第二載置部とは摺動手段を介して設けられるようになっているので、サイズの異なる書物にも対応することができる。【００３３】  また、本考案の書見台が提供できることで、前記背表紙保持スペースに弾性体として、例えばスポンジを着脱可能に装着することが可能なので、例えばスポンジを取り外したり、例えばスポンジの厚みを調節することで、厚みの異なる書物にも対応することができる。【００３４】  また、本考案の前記左第一載置部と前記連結板とは蝶着され、前記右第一載置部と前記連結板とは蝶着され、前記左第一載置部と前記連結板との間には一対の角度調節具が設けられ、前記右第一載置部と前記連結板との間には一対の角度調節具が設けられる書見台が提供できることで、前記背表紙保持部を支点にして前記左ページ保持部や前記右ページ保持部の角度が可変になり、前記書物の寸法や形状によっては従来の書見台では書物と書見台の保持性または抱持性または密着性または当接性に問題がある場合でも本考案の上述した構造によって、前記左ページ保持部や前記右ページ保持部や前記背表紙保持部への保持性または抱持性または密着性または当接性を向上させることが可能な書見台を提供できる。【００３５】  また、本考案は、前記書見台の前記連結板の裏面部に角度可変手段が設けられることで、仰臥位や横臥位や座位や立位などの読書姿勢でも目線に対する書見台の左右または天地の角度調整を可能とし、また前記角度可変手段には回動可能手段を備えた第一スタンド部と回動可能に接続されるので、仰臥位や横臥位や座位や立位などの読書姿勢でも目線に対する書見台の１度から９０度の角度調整を可能とし、また前記角度可変手段には折曲げ手段を備えた第一スタンド部と回動可能に接続され、また前記第一スタンド部には折曲げ手段と第一移動手段を備えた第二スタンド部と折曲げ可能に接続されるので、仰臥位や横臥位や座位から速やかに立位（かつ高さの調節も可能になる）などの読書姿勢に変換することが可能になる、書見台用スタンドを提供できる。【００３６】  また、本考案は、本明細書に記載した前記第二スタンド部には第一移動手段と第二移動手段とバランス調節手段を備えた第三スタンド部と移動可能に接続されることで、前記書見台用スタンドを仰臥位や横臥位や座位の状態で高さの調節をすることが可能になり、また前記スタンド土台部には接地面積可変手段を設けてあることで、この状態で高さの調節をする場合に生じやすいバランスの悪化も軽減し安定感を向上させることができ、また前記第三スタンド部には角度固定装置が移動可能に接続されているので、前記書見台用スタンドを仰臥位や横臥位や座位の状態で前記スタンド土台部を支点にして前記第三スタンド部を１度から１８０度の角度調整を可能とすることで、仰臥や横臥、座位などの読書姿勢に対応して前記書見台の配置・位置決めが可能になる、書見台用スタンドを提供できる。
【考案を実施するための最良の形態】
【００３８】  以下、本考案の書見台及び書見台用スタンドの実施の形態について、図１〜図５に基づいて説明する。
図１は本考案の概略を説明した斜視図であり、図２は本考案の概略を説明した斜視図であり、図３は本考案の概略を説明した斜視図であり、図４ａは見開いた書物の文字がヨコ組の場合の平面図であり、図４ｂは見開いた書物の文字がヨコ組の場合の正面図であり、図５ａは見開いた書物の文字がタテ組の場合の平面図であり、図５ｂは見開いた書物の文字がタテ組の場合の正面図である。
【実施例１】
【００３９】  図１から図５ｂより、ＢＳ１は見開いた書物を抱持するように形成されている書見台であり、Ｂ１０は文字がヨコ組の場合の見開いた書物であり、Ｂ２０は文字がタテ組の場合の見開いた書物であり、Ｂ１１は書物Ｂ１０の表紙であり、Ｂ１２は書物Ｂ１０の裏表紙であり、Ｂ１３は書物Ｂ１０の背表紙であり、Ｂ１４は書物Ｂ１０の左小口であり、Ｂ１５は書物Ｂ１０の右小口であり、Ｂ１６は書物Ｂ１０のノドであり、Ｂ２１は書物Ｂ２０の表紙であり、Ｂ２２は書物Ｂ２０の裏表紙であり、Ｂ２３は書物Ｂ２０の背表紙であり、Ｂ２４は書物Ｂ２０の左小口であり、Ｂ２５は書物Ｂ２０の右小口であり、Ｂ２６は書物Ｂ２０のノドである。
１００は表紙Ｂ１１または表紙Ｂ２１を当接させ左小口Ｂ１４または左小口Ｂ２４を保持する手段を備えた左ページ保持部であり、２００は裏表紙Ｂ１２または裏表紙Ｂ２２を当接させ右小口Ｂ１５または右小口Ｂ２５を保持する手段を備えた右ページ保持部であり、３００は背表紙Ｂ１３または背表紙Ｂ２３を当接させノドＢ１６またはノドＢ２６を保持する手段を備えた背表紙保持部であり、左ページ保持部１００には回転可能手段を備えた左ページ保持具１１０が設けられ、右ページ保持部２００には回転可能手段を備えた右ページ保持具２１０が設けられ、背表紙保持部３００にはノドＢ１６またはノドＢ２６を着脱可能に保持するのど保持具３１０が設けられる。
回転可能左ページ保持具１１０は、左小口Ｂ１４または左小口Ｂ２４の天地を押さえる少なくとも一つの棒状体１１１と、棒状体１１１を天地で一対になって固着する棒状体固着部１１２と、棒状体固着部１１２を回転可能にする軸部１１３と、軸部１１３を回動可能に保持する軸受け具１１４と、軸部１１３の回転を一方向に制御する手段である回転制御ギア１１５とギア係止片１１６、で形成されている。
回転可能右ページ保持具２１０は、右小口Ｂ１５または右小口Ｂ２５の天地を押さえる少なくとも一つの棒状体２１１と、棒状体２１１を天地で一対になって固着する棒状体固着部２１２と、棒状体固着部２１２を回転可能にする軸部２１３と、軸部２１３を回動可能に保持する軸受け具２１４と、軸部２１３の回転を一方向に制御する手段である回転制御ギア２１５とギア係止片２１６、で形成されている。
のど保持具３１０は、ノドＢ１６またはノドＢ２６の天地を押さえる少なくとも一つの棒状体３１１と、棒状体３１１をノドＢ１６またはノドＢ２６の天側で着脱可能に保持する天側棒状体保持具３１２と、棒状体３１１をノドＢ１６またはノドＢ２６の地側で着脱可能に保持する地側棒状体保持具３１３、で形成されている。
【実施例２】
【００４０】  図１から図５ｂより、左ページ保持部１００が第一載置部１２０と第二載置部１３０とで形成され、右ページ保持部２００が第一載置部２２０と第二載置部２３０とで形成され、背表紙保持部３００は基板として板状の連結板３０１で形成されており、左第一載置部１２０と右第一載置部２２０とが連結板３０１を介して連設され、連結板３０１にはのど保持具３１０が設けられ、左第一載置部１２０と右第一載置部２２０との間には背表紙保持スペース３０２が形成され、左第二載置部１３０には回転可能左ページ保持具１１０が設けられ、右第二載置部２３０には回転可能右ページ保持具２１０が設けられ、左第一載置部１２０と左第二載置部１３０とは摺動手段として摺動用スリット１２１と摺動用締着具１３１を介して設けられ、右第一載置部２２０と右第二載置部２３０とは摺動手段として摺動用スリット２２１と摺動用締着具２３１を介して設けられる。
【実施例３】
【００４１】  図１から図５ｂより、左第一載置部１２０と連結板３０１とは蝶着され、右第一載置部２２０と連結板３０１とは蝶着され、左第一載置部１２０と連結板３０１との間には一対の角度調節具３２０が設けられ、右第一載置部２２０と連結板３０１との間には一対の角度調節具３３０が設けられる。
【実施例４】
【００４２】  図１から図５ｂより、ＢＳ２は書見台ＢＳ１を仰臥位や横臥位や座位や立位などの読書姿勢に対応できるようにした書見台用スタンドである。４００は書見台ＢＳ１の連結板３０１の裏面部に設けられた角度可変手段であり、５００は回動可能手段５１０と折曲げ手段５２０とこれらを接続するパイプ体５３０より成る第一スタンド部であり、回動可能手段５１０は固定部５１１と回動部５１２と回動係止部５１３より成り、角度可変手段４００とは回動部５１２を介して回動可能に接続される。６００は折曲げ手段６１０と第一移動手段６２１を備えたパイプ体６２０より成る第二スタンド部であり、第二スタンド部６００は折曲げ手段６１０を介して折曲げ手段５２０と折曲げ可能に接続される。７００は第一移動手段７１０と第二移動手段７２０とバランス調節手段７３０とこれらを連接させる棒状体７４０を備えた第三スタンド部であり、第三スタンド部７００は第一移動手段７１０を介して第一移動手段６２１を備えた第二スタンド部６００と移動可能に接続される。８００は第二移動手段８１０を備えた角度可変装置回動部８２０と前記角度可変装置固定部８３０と固定部係止部８４０より成る角度固定装置であり、角度固定装置８００は第二移動手段８１０を介して第三スタンド部７００の第二移動手段７２０と移動可能に接続される。９００は回動可能接続部９１０と回動可能接続部固定部９２０と土台部９３０より成るスタンド土台部であり、スタンド土台部９００は回動可能接続部９１０を介して角度固定装置８００の角度可変装置回動部８２０を介して回動可能に接続される。
【実施例５】
【００４３】  図１から図５ｂより、スタンド土台部９００が、回動可能接続部９１０と、回動可能接続部固定部９２０と、土台部９３０よりなり、土台部９３０には接地面積可変手段を設けたことを特徴とするが、接地面積可変手段は出し入れ可能手段を備えた土台拡張手段９４０、出し入れ可能手段を備えた土台拡張手段９５０、出し入れ可能手段を備えた土台拡張手段９６０、より成る。【００５０】  上記実施の形態の説明は、本考案を説明するためのものであって、実用新案登録請求の範囲に記載の考案を限定し、或は範囲を減縮するものではない。又、本考案の各部構成は上記実施の形態に限らず、実用新案登録請求の範囲に記載の技術的範囲内で種々の変形が可能である。
【産業上の利用可能性】
【００５１】  本考案の書見台及び書見台用スタンドによって、容易に、仰臥位、横臥位、座位、立位など多様な姿勢での読書を可能とするので、書籍類の活性化に貢献し出版業における利用価値は高いので、産業上の利用可能性は大きいと思われる。
【図面の簡単な説明】
【００５２】
【図１】本考案の概略を説明した斜視図である。
【図２】本考案の概略を説明した斜視図である。
【図３】本考案の概略を説明した斜視図である。
【図４ａ】見開いた書物の文字がヨコ組の場合の平面図である。
【図４ｂ】見開いた書物の文字がヨコ組の場合の正面図である。
【図５ａ】見開いた書物の文字がタテ組の場合の平面図である。
【図５ｂ】見開いた書物の文字がタテ組の場合の正面図である。
【符号の説明】
【００５３】ＢＳ１・・書見台、ＢＳ２・・書見台用スタンド
Ｂ１０・・書物、Ｂ１１・・表紙、Ｂ１２・・裏表紙、Ｂ１３・・背表紙
Ｂ１４・・左小口、Ｂ１５・・右小口、Ｂ１６・・ノド、Ｂ２０・・書物
Ｂ２１・・表紙、Ｂ２２・・裏表紙、Ｂ２３・・背表紙、Ｂ２４・・左小口
Ｂ２５・・右小口、Ｂ２６・・ノド
１００・・・左ページ保持部、１１０・・・回転可能左ページ保持具
１１１・・・棒状体、１１２・・・棒状体固着部、１１３・・・軸部
１１４・・・軸受け具、１１５・・・回転制御ギア、１１６・・・ギア係止片
１２０・・・左第一載置部、１２１・・・摺動用スリット
１３０・・・左第二載置部、１３１・・・摺動用締着具
２００・・・右ページ保持部、２１０・・・回転可能右ページ保持具
２１１・・・棒状体、２１２・・・棒状体固着部、２１３・・・軸部
２１４・・・軸受け具、２１５・・・回転制御ギア、２１６・・・ギア係止片
２２０・・・右第一載置部、２２１・・・摺動用スリット
２３０・・・右第二載置部、２３１・・・摺動用締着具
３００・・・背表紙保持部、３０１・・・連結板、３０２・・・背表紙保持スペース
３１０・・・のど保持具、３１１・・・棒状体、３１２・・・天側棒状体保持具
３１３・・・地側棒状体保持具、３２０・・・角度調節具、３３０・・・角度調節具
４００・・・角度可変手段
５００・・・第一スタンド部、５１０・・・回動可能手段、５１１・・・固定部
５１２・・・回動部、５１３・・・回動係止部
５２０・・・折曲げ手段、５３０・・・パイプ体
６００・・・第二スタンド部、６１０・・・折曲げ手段
６２０・・・パイプ体、６２１・・・第一移動手段
７００・・・第三スタンド部、７１０・・・第一移動手段
７２０・・・第二移動手段、７３０・・・バランス調節手段、７４０・・・棒状体
８００・・・角度固定装置、８１０・・・第二移動手段、８４０・・・固定部係止部
８２０・・・角度可変装置回動部、８３０・・・前記角度可変装置固定部
９００・・・スタンド土台部、９１０・・・回動可能接続部
９２０・・・回動可能接続部固定部、９３０・・・土台部
【図１】
0003155727.tif 000003
【図２】
0003155727.tif 000004
【図３】
0003155727.tif 000005
【図４ａ】
0003155727.tif 000006
【図４ｂ】
0003155727.tif 000007
【図５ａ】
0003155727.tif 000008
【図５ｂ】
0003155727.tif 000009
【手続補正書】
【提出日】平成21年5月31日(2009.5.31)
【手続補正１】
【補正対象書類名】実用新案登録請求の範囲
【補正対象項目名】全文
【補正方法】変更
【補正の内容】
【実用新案登録請求の範囲】
【請求項１】
仰臥位や横臥位や座位や立位などの読書姿勢に対応できるようにする書見台用スタンドに設けられる書見台であり、かつ見開いた書物を抱持するように形成されている書見台であり、前記書見台には、前記書物の表紙を当接させ左小口を保持する手段を備えた左ページ保持部、前記書物の裏表紙を当接させ右小口を保持する手段を備えた右ページ保持部、前記書物の背表紙を当接させのどを保持する手段を備えた背表紙保持部が設けられ、前記左ページ保持部には回転可能手段を備えた左ページ保持具が設けられ、前記右ページ保持部には回転可能手段を備えた右ページ保持具が設けられ、前記背表紙保持部にはのどを着脱可能に保持するのど保持具が設けられる、ことを特徴とする書見台。
【請求項２】
前記左ページ保持部が左第一載置部と左第二載置部とで形成され、前記右ページ保持部が右第一載置部と右第二載置部とで形成され、前記背表紙保持部は基板として板状の連結板で形成され、前記左第一載置部と前記右第一載置部とが前記連結板を介して連設され、前記連結板には前記のど保持具が設けられ、前記左第一載置部と前記右第一載置部との間には背表紙保持スペースが形成され、前記左第二載置部には前記回転可能左ページ保持具が設けられ、前記右第二載置部には前記回転可能右ページ保持具が設けられ、前記左第一載置部と前記左第二載置部とは摺動手段を介して設けられ、前記右第一載置部と前記右第二載置部とは摺動手段を介して設けられる、請求項１に記載の書見台。
【請求項３】
前記左第一載置部と前記連結板とは蝶着され、前記右第一載置部と前記連結板とは蝶着され、前記左第一載置部と前記連結板との間には一対の角度調節具が設けられ、前記右第一載置部と前記連結板との間には一対の角度調節具が設けられる、請求項１または請求項２に記載の書見台。
【請求項４】
前記書見台を仰臥位や横臥位や座位や立位などの読書姿勢に対応できるようにする書見台用スタンドであり、前記書見台の前記連結板の裏面部に角度可変手段が設けられ、前記角度可変手段には回動可能手段と折曲げ手段を備えた第一スタンド部と回動可能に接続され、前記第一スタンド部には折曲げ手段と第一移動手段を備えた第二スタンド部と折曲げ可能に接続され、前記第二スタンド部には第一移動手段と第二移動手段とバランス調節手段を備えた第三スタンド部と移動可能に接続され、前記第三スタンド部には第二移動手段と角度固定手段を備えた角度固定装置が移動可能に接続され、前記角度固定装置には回動可能手段を備えたスタンド土台部と回動可能に接続されることを特徴とする、請求項１から請求項３のいずれかに記載の書見台用スタンド。
【請求項５】
前記スタンド土台部が、回動可能接続部と、回動可能接続部固定部と、土台部とで形成され、前記土台部には接地面積可変手段を設けたことを特徴とする、請求項４に記載の書見台用スタンド。
【手続補正２】
【補正対象書類名】明細書
【補正対象項目名】０００２
【補正方法】変更
【補正の内容】
【０００２】  従来から、人が読書をする場合に、書見台と称されている書物保持手段が用いられるようになってきており、例えば、書見台への書物の保持方法として、例えば、書見台の四隅に回転自在の片を設け書物を押さえるものや書見台の中央部の天地に凹状部を形成し、その凹状部の溝に書物の背表紙綴じ込み部を配し、書物ページの中ほどを挟持片で押さえ、地側を固定し、天側をスライドさせて書物を保持し、左右にクリップを設けて書物のページ余白部を押さえる方法や、同じく見開き書物の中ほどをゴム紐やバネで押さえるものなど色々あることが知られている。
例えば、特許文献１における仰臥者用書見台では、書見台の下部に設けた棚の中央に書物をのせ見開きページの中ほどに金属線（棒）糸紐類を強く張り書見台に書物の背表紙側を押し当て、強く引いたまま金属線（棒）糸紐類は書見台に設けた巻棒に巻きつけてマジックテープ（登録商標）で止め、さらに横に保持線を張り開いたページを安定させて書物が読めるようにしてページを操る水平保持線を操作する方法をとっている。（詳細は［特許文献１］を参照する）
また、例えば、特許文献２における仰臥式書見台では、ページ押さえ・ページめくりの方法については、書見台基板中央部に見開き書物の綴じ込み部を配置し、上下の係合片を用いて基板に見開き書物の背部を取り付け保持するとともに左右のページ端部を挟持片に組み込まれたローラーで弾力的に基板に押し当て見開き書物を保持している。さらに基板下辺左右にクリップを設け書物の表紙部を基板に挟持する構造となっている。（詳細は［特許文献２］を参照する）
【手続補正３】
【補正対象書類名】明細書
【補正対象項目名】０００７
【補正方法】変更
【補正の内容】
【０００７】  例えば、特許文献１における仰臥者用書見台では、書見台を下向きにして使用する場合に、金属線（棒）糸紐類で見開き書物の綴じ込み部を強く書見台に押し当てても書物の重みで自然に緩んだり、垂れ下がる、という問題点や、また取り付け書物が厚い場合には、金属線（棒）糸紐類のセンター軸が横にずれたりして書見台への保持が不安定になったりする、という問題点や、また、金属線（棒）糸紐類を強く張った状態を保ったまま書見台の巻棒に巻きつけることも大変であるが、巻きつけた金属線（棒）糸紐類をマジックテープ（登録商標）止めも、使用しているうちに緩んだり、解けたりする恐れがあり書物が書見台から落下する心配もあるし操作も面倒である、という問題点などである。
また、例えば特許文献２における仰臥式書見台の、ページ押さえ・ページめくりの方法では、左右のページ端部を挟持片に組み込まれたローラーを回してページを繰り出し、めくったページを反対側のローラーと見開きページの間に手で差し込む方法であるが見開きページの閉じようとする反発力や、書物を読み進む過程でページ枚数の増減により左右のローラーと書物ページ端にかかる圧力が変化してきてページを挿入するのは困難になってくる、という問題点や、ローラーの回転で繰り出されるページが複数枚排出されたり、空回りになったりのトラブルが生ずる恐れもある、という問題点や、例えば、絵本などはページ押さえは可能であるがページめくりは厚紙のためローラーでの紙送りができないために困難である、という問題点などである。
また、例えば特許文献３の書見台及び寝ながら読書する時の書物保持具は、仰臥、座位、腰掛けるなどに対応したものであり、スタンドの高さ調節や書見台の位置決めが容易であり目線に対する微調整も簡単であるが、ページ押さえ・ページめくりの際に書見台に一定の力が加わることから書見台が揺れたり、目線上の位置から動いたりする恐れがあり、片方の手で書見台を押さえ、もう一方の手でページ押さえ・ページめくりの操作をすることとなる、という問題点や、また、少しの接触で書見台自体および取り付け書物の重みで蛇腹管が伸縮して揺れが生じ書見台が不安定になって操作しにくい、という問題点などである。
【手続補正４】
【補正対象書類名】明細書
【補正対象項目名】０００８
【補正方法】変更
【補正の内容】
【０００８】  また、例えば特許文献４の書見台では、基板に連結金具を回動自在、且つ着脱自在に取り付け、載置板に連結金具を斜め水平方向に回動自在、且つ着脱自在に取り付け、前記両連結金具を、二本の支柱連結板をマジックテープ（登録商標）バンドで一体に摺動自在に捲着し一本に形成した支柱で連結したことを特徴とするが、このマジックテープ（登録商標）バンドも、使用しているうちに緩んだり、解けたりする恐れがあり書物が書見台から落下する心配もあるし操作も面倒である、という問題点を指摘されている。
また、例えば特許文献５の書見台では、ページ押えを具備した載置板と脚台と傾斜支え杆で構成し、載置板の向きを、斜め上方から斜め下方に調節且つ設定可能にした書見台であることを特徴とするが、この書見台では、仰臥で使用する場合、身体の上部に置くため、転倒しないよう手で抑えていなければならない、という問題点や、また二本の支柱の間に身体を置いて使用するものは、使用を中断する度に除ける手間がかかり、窮屈で使いづらい、という問題点などを指摘されている。
【手続補正５】
【補正対象書類名】明細書
【補正対象項目名】００１０
【補正方法】変更
【補正の内容】
【００１０】  課題を解決するための第一の手段（請求項１）は、仰臥位や横臥位や座位や立位などの読書姿勢に対応できるようにする書見台用スタンドに設けられる書見台であり、かつ見開いた書物を抱持するように形成されている書見台であり、前記書見台には、前記書物の表紙を当接させ左小口を保持する手段を備えた左ページ保持部、前記書物の裏表紙を当接させ右小口を保持する手段を備えた右ページ保持部、前記書物の背表紙を当接させのどを保持する手段を備えた背表紙保持部が設けられ、前記左ページ保持部には回転可能手段を備えた左ページ保持具が設けられ、前記右ページ保持部には回転可能手段を備えた右ページ保持具が設けられ、前記背表紙保持部にはのどを着脱可能に保持するのど保持具が設けられる、ことを特徴とする書見台を提供することである。
【手続補正６】
【補正対象書類名】明細書
【補正対象項目名】００１４
【補正方法】変更
【補正の内容】
【００１４】  課題を解決するための第二の手段（請求項２）は、前記左ページ保持部が左第一載置部と左第二載置部とで形成され、前記右ページ保持部が右第一載置部と右第二載置部とで形成され、前記背表紙保持部は基板として板状の連結板で形成され、前記左第一載置部と前記右第一載置部とが前記連結板を介して連設され、前記連結板には前記のど保持具が設けられ、前記左第一載置部と前記右第一載置部との間には背表紙保持スペースが形成され、前記左第二載置部には前記回転可能左ページ保持具が設けられ、前記右第二載置部には前記回転可能右ページ保持具が設けられ、前記左第一載置部と前記左第二載置部とは摺動手段を介して設けられ、前記右第一載置部と前記右第二載置部とは摺動手段を介して設けられる、課題を解決するための第一の手段に記載の書見台を提供することである。
【手続補正７】
【補正対象書類名】明細書
【補正対象項目名】００１５
【補正方法】変更
【補正の内容】
【００１５】  課題を解決するための第二の手段で記述した前記左ページ保持部が左第一載置部と左第二載置部とで形成されていることに関しては、前記左第一載置部と前記左第二載置部との関係は前記書物を載置したときに前記書物の寸法に合わせて前記左ページ保持部の寸法が変化できるようになっている関係であればどんな手段でも構わないが、前記左第一載置部と前記左第二載置部とは摺動手段を介して設けられることが好ましい。また、前記摺動手段に関しては一般的に知られた手段であれば何を用いても構わない。
また、前記左第一載置部と前記左第二載置部の形状は、前記左第一載置部と前記左第二載置部とが摺動手段を介して前記左ページ保持部の形状や寸法が変化するようになっていればどんな形状でも構わないが、前記書物の相似形であることが好ましい。また、前記左第一載置部と前記左第二載置部の材質は、軽量で十分な強度があれば金属製、木質系、合成樹脂製、などから選択して単独で用いても組合わせて用いてもよい。
また、前記左第一載置部と前記左第二載置部とが摺動手段を介して設けられることに関しては、前記左第一載置部ののど側には前記連結板が設けられ、前記左第一載置部の小口側と前記左第二載置部ののど側が摺動手段を介して設けられることで、前記左第一載置部と前記左第二載置部はのど側と小口側との間を変化させることで、前記左ページ保持部の寸法や形状を変化させることができる。
【手続補正８】
【補正対象書類名】明細書
【補正対象項目名】００１６
【補正方法】変更
【補正の内容】
【００１６】  課題を解決するための第二の手段で記述した前記右ページ保持部が右第一載置部と右第二載置部とで形成されていることに関しては、前記右第一載置部と前記右第二載置部との関係は前記書物を載置したときに前記書物の寸法に合わせて前記右ページ保持部の寸法が変化できるようになっている関係であればどんな手段でも構わないが、前記右第一載置部と前記右第二載置部とは摺動手段を介して設けられることが好ましい。また、前記摺動手段に関しては一般的に知られた手段であれば何を用いても構わない。
また、前記右第一載置部と前記右第二載置部の形状は、前記右第一載置部と前記右第二載置部とが摺動手段を介して前記右ページ保持部の形状や寸法が変化するようになっていればどんな形状でも構わないが、前記書物の相似形であることが好ましい。また、前記右第一載置部と前記右第二載置部の材質は、軽量で十分な強度があれば金属製、木質系、合成樹脂製、などから選択して単独で用いても組合わせて用いてもよい。
また、前記右第一載置部と前記右第二載置部とが摺動手段を介して設けられることに関しては、前記右第一載置部ののど側には前記連結板が設けられ、前記右第一載置部の小口側と前記右第二載置部ののど側が摺動手段を介して設けられることで、前記右第一載置部と前記右第二載置部はのど側と小口側との間を変化させることで、前記右ページ保持部の寸法や形状を変化させることができる。
【手続補正９】
【補正対象書類名】明細書
【補正対象項目名】００２０
【補正方法】変更
【補正の内容】
【００２０】  課題を解決するための第三の手段（請求項３）は、前記左第一載置部と前記連結板とは蝶着され、前記右第一載置部と前記連結板とは蝶着され、前記左第一載置部と前記連結板との間には一対の角度調節具が設けられ、前記右第一載置部と前記連結板との間には一対の角度調節具が設けられる、課題を解決するための第一の手段または課題を解決するための第二の手段に記載の書見台を提供することである。
【手続補正１０】
【補正対象書類名】明細書
【補正対象項目名】００４０
【補正方法】変更
【補正の内容】
【００４０】  図１から図５ｂより、左ページ保持部１００が左第一載置部１２０と左第二載置部１３０とで形成され、右ページ保持部２００が右第一載置部２２０と右第二載置部２３０とで形成され、背表紙保持部３００は基板として板状の連結板３０１で形成されており、左第一載置部１２０と右第一載置部２２０とが連結板３０１を介して連設され、連結板３０１にはのど保持具３１０が設けられ、左第一載置部１２０と右第一載置部２２０との間には背表紙保持スペース３０２が形成され、左第二載置部１３０には回転可能左ページ保持具１１０が設けられ、右第二載置部２３０には回転可能右ページ保持具２１０が設けられ、左第一載置部１２０と左第二載置部１３０とは摺動手段として摺動用スリット１２１と摺動用締着具１３１を介して設けられ、右第一載置部２２０と右第二載置部２３０とは摺動手段として摺動用スリット２２１と摺動用締着具２３１を介して設けられる。
【手続補正書】
【提出日】平成21年9月3日(2009.9.3)
【手続補正１】
【補正対象書類名】実用新案登録請求の範囲
【補正対象項目名】全文
【補正方法】変更
【補正の内容】
【実用新案登録請求の範囲】
【請求項１】
仰臥位や横臥位や座位や立位などの読書姿勢に対応できるようにする書見台用スタンドに設けられる書見台であり、かつ見開いた書物を抱持するように形成されている書見台であり、前記書見台には、前記書物の表紙を当接させ左小口を保持する手段を備えた左ページ保持部、前記書物の裏表紙を当接させ右小口を保持する手段を備えた右ページ保持部、前記書物の背表紙を当接させのどを保持する手段を備えた背表紙保持部が設けられ、前記左ページ保持部には回転可能手段を備えた左ページ保持具が設けられ、前記右ページ保持部には回転可能手段を備えた右ページ保持具が設けられ、前記背表紙保持部にはのどを着脱可能に保持するのど保持具が設けられる、ことを特徴とする書見台。
【請求項２】
前記左ページ保持部が左第一載置部と左第二載置部とで形成され、前記右ページ保持部が右第一載置部と右第二載置部とで形成され、前記背表紙保持部は基板として板状の連結板で形成され、前記左第一載置部と前記右第一載置部とが前記連結板を介して連設され、前記連結板には前記のど保持具が設けられ、前記左第一載置部と前記右第一載置部との間には背表紙保持スペースが形成され、前記左第二載置部には前記回転可能左ページ保持具が設けられ、前記右第二載置部には前記回転可能右ページ保持具が設けられ、前記左第一載置部と前記左第二載置部とは摺動手段を介して設けられ、前記右第一載置部と前記右第二載置部とは摺動手段を介して設けられる、請求項１に記載の書見台。
【請求項３】
前記左第一載置部と前記連結板とは蝶着され、前記右第一載置部と前記連結板とは蝶着され、前記左第一載置部と前記連結板との間には一対の角度調節具が設けられ、前記右第一載置部と前記連結板との間には一対の角度調節具が設けられる、請求項２に記載の書見台。
【請求項４】
請求項１から請求項３のいずれかに記載の書見台を設けた書見台用スタンドであって、前記書見台を仰臥位や横臥位や座位や立位などの読書姿勢に対応できるようにする書見台用スタンドであり、前記書見台の前記連結板の裏面部に角度可変手段が設けられ、前記角度可変手段には回動可能手段と折曲げ手段を備えた第一スタンド部と回動可能に接続され、前記第一スタンド部には折曲げ手段と第一移動手段を備えた第二スタンド部と折曲げ可能に接続され、前記第二スタンド部には第一移動手段と第二移動手段とバランス調節手段を備えた第三スタンド部と移動可能に接続され、前記第三スタンド部には第二移動手段と角度固定手段を備えた角度固定装置が移動可能に接続され、前記角度固定装置には回動可能手段を備えたスタンド土台部と回動可能に接続されることを特徴とする書見台用スタンド。
【請求項５】
前記スタンド土台部が、回動可能接続部と、回動可能接続部固定部と、土台部とで形成され、前記土台部には接地面積可変手段を設けたことを特徴とする、請求項４に記載の書見台用スタンド。
【手続補正２】
【補正対象書類名】明細書
【補正対象項目名】００２０
【補正方法】変更
【補正の内容】
【００２０】  課題を解決するための第三の手段（請求項３）は、前記左第一載置部と前記連結板とは蝶着され、前記右第一載置部と前記連結板とは蝶着され、前記左第一載置部と前記連結板との間には一対の角度調節具が設けられ、前記右第一載置部と前記連結板との間には一対の角度調節具が設けられる、課題を解決するための第二の手段（請求項２）に記載の書見台を提供することである。
【手続補正３】
【補正対象書類名】明細書
【補正対象項目名】００２４
【補正方法】変更
【補正の内容】
【００２４】  課題を解決するための第四の手段（請求項４）は、請求項１（課題を解決するための第一の手段）から請求項３（課題を解決するための第三の手段）のいずれかに記載の書見台を設けた書見台用スタンドであって、前記書見台を仰臥位や横臥位や座位や立位などの読書姿勢に対応できるようにする書見台用スタンドであり、前記書見台の前記連結板の裏面部に角度可変手段が設けられ、前記角度可変手段には回動可能手段と折曲げ手段を備えた第一スタンド部と回動可能に接続され、前記第一スタンド部には折曲げ手段と第一移動手段を備えた第二スタンド部と折曲げ可能に接続され、前記第二スタンド部には第一移動手段と第二移動手段とバランス調節手段を備えた第三スタンド部と移動可能に接続され、前記第三スタンド部には第二移動手段と角度固定手段を備えた角度固定装置が移動可能に接続され、前記角度固定装置には回動可能手段を備えたスタンド土台部と回動可能に接続されることを特徴とする書見台用スタンドを提供することである。